(57)【特許請求の範囲】
【請求項１】
ギガビットイーサネットの複数のチャンネルに接続され、複数のチャンネルからのフレームのデータ信号を多重化して伝送手段に送信する多重化送信装置と、前記伝送手段に接続され、伝送手段から送信された多重化されたデータ信号を受信してこれをチャンネルごとのフレームの形式にして各チャンネルに転送する多重化受信装置とを備えた多重化送受信装置において、
ギガビットイーサネットのチャンネルごとに配置され、ギガビットイーサネットのチャンネルの送信データをフレームの形で１ビットずつ受け取ると共にこれを１０ビットの幅の１０ビットデータの形式として出力する入力部と、ギガビットイーサネットのチャンネルごとにあらかじめ定めておいた特定の１０ビットデータを発生する１０ビットデータ発生部と、前記各入力部にそれぞれ接続され、該入力部から１０ビットデータと前記１０ビットデータ発生部からの１０ビットデータとを切換えるデータ切換え部と、各データ切換え部に接続され、入力部から送付される１０ビット形式のデータ又は前記１０ビットデータ発生部からの１０ビットデータを蓄積する送信メモリと、前記各送信メモリに蓄積されたチャンネルごとのデータを所定の速度で読み出す送信切換え部と、前記送信切換え部が読み出したデータを伝送手段に出力する送信部とから構成され、前記データ切換え部は、前記入力部がギガビットイーサネットのチャンネルからデータを受け取る前に、前記１０ビットデータ発生部から送られてくる前記特定の１０ビットデータを受け取り、前記送信メモリに送ることができるように経路を切換えると共に、送信メモリ、送信切換え部、送信部を介して伝送手段に送信し、前記入力部がギガビットイーサネットのチャンネルからデータを受け取った後は、前記入力部から送られてくる１０ビット形式のデータを前記送信メモリに送ることができるように経路を切換え、前記送信切換え部は、各チャンネルの入力部に入力されたギガビットイーサネットの伝送信号を１０ビットデータを多重化して１ビットずつ伝送手段に送信する多重化送信装置と、
多重化されたデータ信号を伝送手段から受信する受信部と、前記受信部が受けたデータを蓄積する受信メモリと、該受信メモリに接続され、受信メモリからのデータをギガビットイーサネットの各チャンネルに分離して出力すべく切換えるチャンネル分岐部と、チャンネル分岐部に接続され、分岐された受信メモリからのデータをギガビットイーサネットの各チャンネルに出力する出力部と、受信メモリのデータが入力され、受信メモリのデータに基づいて前記分岐部に、チャンネルを切換えるための制御信号を送る判定部とを備えて構成され、前記判定部は、前記受信メモリのデータに、多重送信装置の１０ビット発生部の特定の１０ビットデータのパターンが含まれているか、または含まれていないかを判定し、前記受信メモリのデータに特定の１０ビットデータのパターンが含まれている場合には、前記チャンネル分岐部に対し、そのデータを特定の出力部に送付するように制御信号を送り、前記チャンネル分岐部は、前記判定部から受けた制御信号に応じて１０ビットデータをチャンネルに対応して１０ビットずつ各出力部に送付するする多重化受信装置とを、
備えたことを特徴とする多重化送受信装置。
【請求項２】
ギガビットイーサネットの複数チャンネルから入力されたデータ信号を多重化送信装置で多重化して送信する際に、特定のチャンネルから入力されたデータについてはその送信に先立って特定の１０ビットデータワードを送信し、多重化受信装置側では前記特定の１０ビットデータワードの有無により前記特定のチャンネルの識別を行うことを特徴とする請求項１記載の多重化送受信装置。
【発明の詳細な説明】
【０００１】
【発明の属する技術分野】
本発明はギガビットイーサネットの通信機器に関するものであり、特にギガビットイーサネットの複数チャンネルの伝送信号を送受信する装置に関わるものである。
【０００２】
【従来の技術】
ギガビットイーサネット（Ｅｔｈｅｒｎｅｔ、ゼロックス社の登録商標）は、米国電気電子技術者協会（ＩＥＥＥ、Ｉｎｓｔｉｔｕｔｅ  ｏｆ  Ｅｌｅｃｔｒｉｃ  ａｎｄ  Ｅｌｅｃｔｒｏｎｉｃｓ  Ｅｎｇｉｎｅｅｒ）規格のＩＥＥＥ８０２．３（ＩＥＥＥ  Ｓｔｄ８０２．３、１９９８）標準に規定されるものである。従来、ギガビットイーサネットの送信データを電気的に多重化して送受信する場合には、フレーム多重と呼ばれる方法が使われてきた。図６に示すように、ギガビットイーサネットの送信データを電気的に多重化して送受信する二つの装置０１および０２は、それぞれギガビットイーサネット多重部２０とギガビットイーサネット分離部３０とから構成されており、この装置０１と０２は同一の構成をもつ送受信装置である。二つの送受信装置は一対の光ファイバーケーブルである伝送手段０３、０４により接続され、双方向伝送を行う。そして、送信データは、連続した１０ビットのデータにより１０ビットデータを構成し、さらに連続した１０ビットデータが複数集まってフレームと呼ばれる単位となる。ギガビットイーサネットでは、このフレーム単位で送信データは送受信される。ギガビットイーサネットの場合、フレームの長さは、６４バイトから１５１８バイトの連続したデータとなる。
【０００３】
２チャンネルのギガビットイーサネットの多重伝送に用いる多重化送受信装置の多重部２０においては、図７に示すように、ギガビットイーサネットの各チャンネルに到達したフレームを各チャンネルの送信メモリ２２または２３（バッファメモリ）に一旦蓄積し、その蓄積されたフレームを多重化送信処理部２１に送付し、送付されたフレームは多重化送信処理部２１にて各フレームにチャンネル識別番号の情報を付加した上で多重化され、そして多重化されたフレームは多重化伝送路０４に送信される。この送信メモリ２２または２３の容量は、それぞれ少なくとも１２１４４ビット（＝１５１８×８）必要となる。２チャンネルの場合、送信メモリ全体の容量は少なくとも２４２８８ビット（＝１２１４４×２）必要となり、ｎチャンネルの場合、送信メモリ全体の容量は少なくとも１２１４４×ｎビット必要となる。
【０００４】
一方、２チャンネルのギガビットイーサネットの多重伝送に用いる多重化送受信装置の分離部３０においては、図８に示すように、前記と同様の構成からなるギガビットイーサネット多重化送受信装置の多重化送信処理部で多重化され、チャンネル識別番号が付加されたフレームを分離処理部３１が伝送手段０３より受信すると、分離処理部３１はチャンネル識別番号が付加されたフレームから当該識別番号の情報を除去した上で、所定のギガビットイーサネットのチャンネル１または２に転送する。
【０００５】
以上のようにして、従来は、フレーム多重と呼ばれる方法を用いたギガビットイーサネット多重化送受信装置によって、ギガビットイーサネットの送信データを電気的に多重化して送受信を行っていた。
【０００６】
【発明が解決しようとする課題】
しかしながら、上記の従来技術による多重化送受信装置においては、下記のような問題がある。
【０００７】
多重化送受信装置の多重部においては、ギガビットイーサネットの各チャンネルに到達したフレームを各チャンネルの送信メモリに一旦蓄積してからその蓄積されたフレームを多重化送信処理部に転送するため、チャンネル毎にフレームを蓄積することができる大きなバッファメモリが必要となる。
【０００８】
また、多重化送受信装置の多重部おいては、送信メモリから多重化送信処理部に送付されたフレームをこの多重化送信処理部において一旦受信して、そのフレームにチャンネルの識別番号を付加する処理、ならびに、多重化送受信装置の分離部においては、チャンネル識別番号が付加されたフレームを分離処理部が受信すると、分離処理部はチャンネル識別番号が付加されたフレームからこの識別番号の情報を取り外すなどの複雑な処理が必要となる。また、前記多重部および前記分離部の双方でこのチャンネル識別番号の整合性を保証するために、フレームチェックシーケンス（エラー検出符号）の再計算などの処理が必要となる問題もある。
【０００９】
そこで、本発明は上記従来技術の問題点を解決することを課題とする。より、特定すれば、フレーム多重化方式に必要な大きなバッファメモリを不要とし、さらに、伝送信号を多重化する際にフレームにチャンネルの識別番号を付加し、そしてそれを除去する処理を必要としない多重化送受信装置を提供することを課題とする。
【００１０】
【課題を解決するための手段】
上記課題を解決するため、本発明の多重化送受信装置は、ギガビットイーサネットの複数のチャンネルに接続され、複数のチャンネルからのフレームのデータ信号を多重化して伝送手段に送信する多重化送信装置と、前記伝送手段に接続され、伝送手段から送信された多重化されたデータ信号を受信してこれをチャンネルごとのフレームの形式にして各チャンネルに転送する多重化受信装置とを備えた多重化送受信装置において、
ギガビットイーサネットのチャンネルごとに配置され、ギガビットイーサネットのチャンネルの送信データをフレームの形で１ビットずつ受け取ると共にこれを１０ビットの幅の１０ビットデータの形式として出力する入力部と、ギガビットイーサネットのチャンネルごとにあらかじめ定めておいた特定の１０ビットデータを発生する１０ビットデータ発生部と、前記各入力部にそれぞれ接続され、該入力部から１０ビットデータと前記１０ビットデータ発生部からの１０ビットデータとを切換えるデータ切換え部と、各データ切換え部に接続され、入力部から送付される１０ビット形式のデータ又は前記１０ビットデータ発生部からの１０ビットデータを蓄積する送信メモリと、前記各送信メモリに蓄積されたチャンネルごとのデータを所定の速度で読み出す送信切換え部と、前記送信切換え部が読み出したデータを伝送手段に出力する送信部とから構成され、前記データ切換え部は、前記入力部がギガビットイーサネットのチャンネルからデータを受け取る前に、前記１０ビットデータ発生部から送られてくる前記特定の１０ビットデータを受け取り、前記送信メモリに送ることができるように経路を切換えると共に、送信メモリ、送信切換え部、送信部を介して伝送手段に送信し、前記入力部がギガビットイーサネットのチャンネルからデータを受け取った後は、前記入力部から送られてくる１０ビット形式のデータを前記送信メモリに送ることができるように経路を切換え、前記送信切換え部は、各チャンネルの入力部に入力されたギガビットイーサネットの伝送信号を１０ビットデータを多重化して１ビットずつ伝送手段に送信する多重化送信装置と、
多重化されたデータ信号を伝送手段から受信する受信部と、前記受信部が受けたデータを蓄積する受信メモリと、該受信メモリに接続され、受信メモリからのデータをギガビットイーサネットの各チャンネルに分離して出力すべく切換えるチャンネル分岐部と、チャンネル分岐部に接続され、分岐された受信メモリからのデータをギガビットイーサネットの各チャンネルに出力する出力部と、受信メモリのデータが入力され、受信メモリのデータに基づいて前記分岐部に、チャンネルを切換えるための制御信号を送る判定部とを備えて構成され、前記判定部は、前記受信メモリのデータに、多重送信装置の１０ビット発生部の特定の１０ビットデータのパターンが含まれているか、または含まれていないかを判定し、前記受信メモリのデータに特定の１０ビットデータのパターンが含まれている場合には、前記チャンネル分岐部に対し、そのデータを特定の出力部に送付するように制御信号を送り、前記チャンネル分岐部は、前記判定部から受けた制御信号に応じて１０ビットデータをチャンネルに対応して１０ビットずつ各出力部に送付するする多重化受信装置とを、
備えたことを特徴とするものである。
【００１１】
この多重化送信装置の構成によれば、従来技術のようにフレーム自体を多重化するのではなく１０ビットの１０ビットデータワードを多重化するため、フレームを一旦受信して、当該フレームにチャンネルの識別番号を付加する処理が不要となる。また、フレームチェックシーケンス（エラー検出符号）の再計算などの処理が不要となる。また、チャンネルごとに少なくとも１０ビットのメモリを設けることで、伝送信号の多重化が実現可能となり、従来技術のフレーム多重化方式のような大きなバッファメモリは不要となる。
【００１２】
ギガビットイーサネットでは、フレームの送信がない間でもアイドル（ＩＤＬＥ）と呼ばれる１０ビットデータワードの組合せを連続して送信しているので、各チャンネルに継続的に伝送データの１０ビットデータワードが到着する。そこで、各チャンネルに届いた１０ビットデータを交互に多重化チャンネルに送出することにより、多重化を実現する。
【００１４】
また、多重化受信装置の構成によれば、フレームから識別番号の情報を取り外すなどの複雑な処理は不要であり、さらに、フレームチェックシーケンス（エラー検出符号）の再計算などの処理も不要となる。
【００１５】
また、本発明の多重化送受信装置は、上記構成に加えて、ギガビットイーサネットの複数チャンネルから入力されたデータ信号を多重化送信装置で多重化して送信する際に、特定のチャンネルから入力されたデータについてはその送信に先立って特定の１０ビットデータワードを送信し、多重化受信装置側では前記特定の１０ビットデータワードの有無により前記特定のチャンネルの識別を行うことを特徴とするものである。
【００１６】
この構成によれば、通常の多重化送信に先立ち、特定のチャンネルに特定の１０ビットデータのパターンを送付することで、受信側は多重化された伝送信号からギガビットイーサネットの各チャンネルの伝送信号を識別することが可能となり、多重化する際にフレームにチャンネルの識別番号を付加したり、除去したりする処理が不要となる。
【００１７】
【発明の実施の形態】
本発明の多重化送信装置および多重化受信装置の好適な第一の実施の形態として、２チャンネルのギガビットイーサネットを多重化送信する多重化送受信装置を例に挙げて説明する。
【００１８】
この多重化送受信装置は、図１に示すギガビットイーサネット多重部４１を含む送信側と図２に示すギガビットイーサネット分離部４２を含む受信側を組み合わせて一つの装置として構成されている。この装置により多重化伝送を実現するためには、二つの多重化送受信装置を互いに１対の伝送手段、好ましくは１対の光ファイバケーブルを用いて図３のように接続する。これにより、本送受信装置は双方向の多重化伝送が可能となる。
【００１９】
送信側の構成は、図１に示すように、入力部４５、４６と、１０ビットデータ発生部４０１と、相手方の多重化送受信装置と伝送手段を経由した通信を開始する前に、少なくとも１回はこの１０ビットデータ発生部４０１からの１０ビットデータを選択できるように経路を切換え、その後は継続して入力部４５、入力部４６からのデータを選択するように経路を切換えるデータ切換え部４９、データ切換え部４００と、送信メモリ４４、送信メモリ４３、送信切換え部４８および送信部４７を有するギガビットイーサネット多重部４１とから構成される。
【００２０】
また、受信側は、図２に示すように、受信部５５、受信メモリ５０、判定部５４およびチャンネル分岐部５３を有するギガビットイーサネット分離部４２と、出力部５１、５２とから構成される。
【００２１】
本発明の多重化送受信装置の送信側と受信側は以下のように動作する。
【００２２】
送信側においては、まず、ギガビットイーサネットのチャンネルごとにあらかじめ定めておいた特定の１０ビットデータを１０ビットデータ発生部４０１がデータ切換え部に送るようにしておく。そして、相手方の多重化送受信装置と伝送手段を経由した通信を開始する前に、１０ビットデータ発生部４０１から送られてくる特定の１０ビットデータを少なくとも１回はデータ切換え部４９、４００が選択して経路を切換え、その後は入力部４５、入力部４６から送られてくるデータを継続的にデータ切換え部４９、４００が選択して経路を切換えるようにしておく。
【００２３】
相手方の多重化送受信装置と伝送手段を経由した通信を開始するときは、図１に示すように、入力部４５、４６は、ギガビットイーサネットチャンネル１、２から各チャンネルの送信データをフレームの形で１ビットずつ受け取る。入力部４５、４６はこの１ビットのデータが１０ビット集まるとその度に、１０ビットデータの形式にして１０ビットのバス幅を持つ内部バスにより、この１０ビットデータをデータ切換え部４９、４００を経由し、チャンネル１の送信メモリ４３、チャンネル２の送信メモリ４４に書き込んでいく。送信メモリ４４、４３は、１０ビット以上の容量を持ち、ある１０ビットデータが書き込まれると、次の１０ビットデータが書き込まれるまでこの１０ビットデータを保持する。送信切換え部４８は送信メモリ４４、４３に１０ビットデータが書き込まれる速度の２倍以上の速度で、交互に送信メモリ４４または４３から１０ビットデータを読み出し、送信部４７へ送る。送信部４７は、受け取った１０ビットデータを１ビットずつ、ギガビットイーサネットで使用される伝送速度の２倍の速度で伝送手段０４への伝送を行う。
【００２４】
一方、受信側は、相手方の多重化送受信装置によって前記送信側と同一の手段で多重化され、伝送手段０３を経由して送信されたデータを受信する。相手方の多重化送受信装置は本実施例の多重化送受信装置と同一の構成である。具体的には、まず、受信部５５は、この多重化されたデータを伝送手段０３からギガビットイーサネットの２倍の速度で１ビットずつ受け取る。受信部５５はこの１ビットのデータが１０ビット集まる度に、１０ビットデータの形式にして１０ビットのバス幅を持つ内部バスにより、この１０ビットデータを受信メモリ５０に書き込む。そして、受信メモリ５０に書き込まれたデータに特定の１０ビットデータのパターンが含まれているか、または含まれていないかを判定部５４が判定し、その結果、特定の１０ビットデータのパターンが含まれていると判定部５４が判定した場合には、判定部５４は、チャンネル分岐部に対し、前記特定の１０ビットデータのパターンが含まれているデータを特定のギガビットイーサネットチャンネルの出力部に送るように制御信号を出す。この制御信号を受けたチャンネル分岐部５３は、受信メモリ５０に１０ビットデータが書き込まれる度に、交互に出力部５１、５２に１０ビットデータを送る。そして、出力部５１、５２は、前記チャンネル分岐部５３により振り分けられた１０ビットデータを１ビットずつ、ギガビットイーサネットの伝送速度と同一の速度で、フレームの形式にしてチャンネル１、チャンネル２へと転送する。
【００２５】
また、本発明の好適な第二の実施の形態として、以下に示すスタートアップ処理を通常のデータ伝送に先立って行う場合について、図４、５を用いて説明する。
【００２６】
まず、本実施例の多重化送受信装置の送信側の処理を図４に示す。チャンネル１の処理においては、１０ビットデータ発生部４０１は１０ビットデータのＫ２８．５特殊符号（ビット列‘０−０−１−１−１−１−１−０−１−０’または‘１−１−０−０−０−０−０−１−０−１）とＤ０．０データ符号（ビット列‘１−０−０−１−１−１−０−１−０−０’または‘０−１−１−０−０−０−１−０−１−１’）を交互にデータ切換え部４００に送付する。データ切換え部４００は、この１０ビットデータ発生部４０１が送付したデータを選択して、チャンネル１の送信メモリ４３に書き込む。このデータは、送信切換え部４８と送信部４７を経由して、伝送手段０４に送信される。なお、このＫ２８．５特殊符号にはコンマシーケンス（ビット列‘０−０−１−１−１−１−１’または‘１−１−０−０−０−０−０’、ギガビットイーサネットの１０ビットデータワードの列において、ワード境をまたいで発生しないことが符号ルール上保証されている）が含まれている。
【００２７】
他方、チャンネル２の処理においては、１０ビットデータ発生部４０１は、前記チャンネル１の処理においてＫ２８．５特殊符号とＤ０．０データ符号をデータ切換え部４００に送付するのと同時にＫ２８．５特殊符号以外のデータ符号例えばＤ０．０データ符号（ビット列‘１−０−０−１−１−１−０−１−０−０’または‘０−１−１−０−０−０−１−０−１−１’）を連続してデータ切換え部４９に送付する。データ切換え部４９は、１０ビットデータ発生部４０１が送付したＫ２８．５特殊符号以外のデータを選択して、チャンネル２の送信メモリ４４に書き込む。このデータは、送信切換え部４８と送信部４７を経由して、伝送手段０４のチャンネル１上に送信される。
【００２８】
次に、本発明の多重化送受信装置の受信側の処理は、図５に示すように、まず判定部５４は伝送手段からのＫ２８．５特殊符号の到着を待つ。Ｋ２８．５特殊符号の検出はビット列に含まれるコンマシーケンスを探索することにより実現可能である。この判定部５４がコンマシーケンスを検出した場合には、相手局に相当する多重化送受信装置が送信したチャンネル１上のＫ２８．５特殊符号が届いたものと判断できるので、これを基準に受信メモリ５０のデータを１０ビット境界に揃える。これにより、１０ビットデータのワードアライメント（符号の境界検出）が実現される。また、このＫ２８．５特殊符号の次の１０ビットデータがチャンネル１の転送データ、次の１０ビットデータがチャンネル２の転送データであるものと判断できる。これにより、判定部５４は、Ｋ２８．５特殊符号についてはチャンネル１に送信するようにチャンネル分岐部５３を制御し、しかる後は交互に１０ビットずつチャンネル２に、チャンネル１に、チャンネル２に・・・とデータを送信するようにチャンネル分岐部５３を制御することにより、到着信号のチャンネル識別が実現される。
【００２９】
送信側においてＫ２８．５特殊符号を継続して送信することにより、たとえ受信側において伝送信号の最初の一部を取りこぼした場合でも、次に届くＫ２８．５特殊符号からチャンネル識別が可能となるので、より確実なチャンネル識別が実現される。
【００３０】
以上の処理により転送データのチャンネル識別が完了すると、ギガビットイーサネット多重部４１はチャンネル１上にＫ２８．５特殊符号と８ビットデータの‘１’を１０ビットデータ化したＤ０．１データ符号（ビット列‘０−１−１−１−０−１−０−１−０−０’または‘１−０−０−０−１−０−１−０−１−１’）を交互に送信する。
【００３１】
ギガビットイーサネット分離部４２はチャンネル１上にＫ２８．５特殊符号とＤ０．１データ符号が交互に届けば、相手局において受信データのワードアライメントおよびチャンネル識別が完了したものと判断できる。
【００３２】
受信データのワードアライメントおよびチャンネル識別が完了し、かつ、チャンネル１においてＫ２８．５特殊符号とＤ０．１データ符号を受信したら、双方において受信データのワードアライメントおよびチャンネル識別が完了したものとみなせるので、スタートアップ処理を完了し、通常のデータの送受信を開始する。
【００３３】
なお、上述の実施例においては、送信側はスタートアップ処理の開始時に伝送手段０４のチャンネル１上に１０ビットデータのＫ２８．５特殊符号とＤ０．０データ符号を交互に送信する場合について説明したが、スタートアップ処理の終了時の場合と区別がつけばこのＤ０．０データ符号は、他のデータ符号に置き換えても構わない。また、Ｋ２８．５特殊符号は必ずしも他のデータ符号と交互に送信される必要はなく、周期的にあるいは不定期に複数回送信されればよい。これと同様に、スタートアップ処理の終了時は、スタートアップ処理の開始時の場合と区別がつけばＤ０．１データ符号は、他のデータ符号に置き換えても構わない。また、Ｋ２８．５特殊符号は他のデータ符号と交互に送信される必要はなく、周期的にあるいは不定期に複数回送信されればよい。
【００３４】
さらに、上述の実施例においては主に、本発明をギガビットイーサネットに適用した場合について説明したが、ＡＮＳＩ（Ａｍｅｒｉｃａｎ  Ｎａｔｉｏｎａｌ  Ｓｔａｎｄａｒｄ  Ｉｎｓｔｉｔｕｔｅ）規格のＮＣＩＴＳ（Ｎａｔｉｏｎａｌ  Ｃｏｍｍｉｔｔｅｅ  ｆｏｒ  Ｉｎｆｏｒｍａｔｉｏｎ  Ｔｅｃｈｎｏｌｏｇｙ  Ｓｔａｎｄａｒｄｉｚａｔｉｏｎ  ）Ｔ１１で規定されるＦｉｂｅｒ  Ｃｈａｎｎｅｌ  においても、ギガビットイーサネットと同じ１０ビットデータを用いているため適用可能である。
【００３５】
【発明の効果】
上記本発明の多重化送受信装置においては、下記のような優れた効果がある。
【００３６】
本発明によれば、１０ビットの１０ビットデータを多重化するため、各チャンネル毎に少なくとも１０ビットのメモリを設けることで、伝送信号の多重化が実現可能となり、従来技術のフレーム多重化方式のような大きなバッファメモリは不要となる。また、フレームを一旦受信して、当該フレームにチャンネルの識別番号を付加する処理とフレームチェックシーケンス（エラー検出符号）の再計算などの処理が不要となる。
【００３７】
チャンネルの識別番号が付加されていないフレームを受信しても、複数のギガビットイーサネットチャンネルにデータを分離して送信可能となり、フレームから当該識別番号の情報を取り外すなどの複雑な処理が不要となる。
【００３８】
また、フレームチェックシーケンス（エラー検出符号）の再計算などの処理が不要となる。
【００３９】
通常の多重化送信に先立ち、特定のチャンネルに特定の１０ビットデータのパターンを送付して、受信側において多重化された伝送信号からギガビットイーサネットの各チャンネルの伝送信号を識別することが可能となり、多重化する際にフレームにチャンネルの識別番号を付加したり、除去したりする処理が不要となる。
【００４０】
従って、本発明により、フレーム多重化方式のような大きなバッファメモリを不要とし、さらに、伝送信号を多重化する際にフレームにチャンネルの識別番号を付加したり、除去したりする処理を不要とする新規な多重化送受信装置を提供することが可能となる。
【図面の簡単な説明】
【図１】図１は本発明の多重化送受信装置のギガビットイーサネット多重部４１を説明する図である。
【図２】図２は、本発明の多重送受信装置のギガビットイーサネット分離部を説明する図である。
【図３】図３は、本発明の多重化送受信装置を用いて多重化伝送を行なうための接続を示す図である。
【図４】図４は、本発明の多重化送受信装置の送信側の処理を示す図である。
【図５】図５は、本発明の多重化送受信装置の受信側の処理を示す図である。
【図６】図６は、多重化送受信装置の概要を示す図である。
【図７】図７は、従来の多重化送受信装置のギガビットイーサネット多重部２０を説明する図である。
【図８】図８は、従来の多重化送受信装置のギガビットイーサネット分離部３０を説明する図である。
【符号の説明】
０１、０２  従来の多重化送受信装置
０３、０４  伝送手段
２０  ギガビットイーサネット多重部
２１  多重化送信処理部
２２、２３、４３、４４  送信メモリ
３０  ギガビットイーサネット分離部
３１  分離処理部
５０  受信メモリ
４０  本発明の多重化送受信装置
４１  本発明のギガビットイーサネット多重部
４２  本発明のギガビットイーサネット分離部
４５、４６、５５  受信部
４７、５１、５２  送信部
４９、４００  データ切換え部
４８  送信切換え部
４０１  １０ビットデータ発生部
５３  チャンネル分岐部
５４  判定部
６０  特定の１０ビットデータ
【図１】
0003551894.tif 000002
【図２】
0003551894.tif 000003
【図３】
0003551894.tif 000004
【図４】
0003551894.tif 000005
【図５】
0003551894.tif 000006
【図６】
0003551894.tif 000007
【図７】
0003551894.tif 000008
【図８】
0003551894.tif 000009